(57)【要約】【課題】  高効率かつ小型であり、耐食性に優れ長寿命の燃料ポンプおよびその製造方法を提供することを目的とする。【解決手段】  燃料ポンプ１０のモータ部１３は、ブラシレスモータであり、ステータコア３０、コイル４２および回転子５０等を有している。ステータコア３０は、６個のコア３２を周方向に配置して構成されている。各コア３２は、コイル４２に通電することにより、回転子５０と向き合う対向面に磁極を発生する。コイル４２は、絶縁体４０の外周にコア３２毎に集中巻きされており、エンドサポートカバー２８側でコイル端子４４と電気的に接続している。コイル４２に供給される駆動電流が制御装置によってスイッチングされることにより、各コイル４２に発生する磁極が制御される。【選択図】      図１
2006141113.tif 000002
【特許請求の範囲】
【請求項１】
モータ部と、前記モータ部により駆動され燃料を昇圧するポンプ部とを備える燃料ポンプにおいて、
前記モータ部は、
コイルが集中巻きされており、前記コイルへの通電が制御されることにより磁極が切り換わるステータコアと、
回転方向に交互に異なる磁極を前記ステータコアと向き合う対向面に形成し、前記ステータコアの周方向に形成する磁極が切り換わることによって回転し、前記ポンプ部を駆動する回転子とを有しており、
前記ステータコアと前記回転子との間に前記ポンプ部からの燃料が流れる通路が形成されていることを特徴とする燃料ポンプ。
【請求項２】
前記回転子は前記ステータコアの内周側に設置されており、
前記ステータコアは、外周部と、前記外周部から内周側の前記回転子に向けて突出し前記コイルが集中巻きされている複数のティースとを有し、
前記外周部は、少なくとも一つの前記ティースの外周側端部と結合し、前記ティースの前記外周側端部において内周側に曲げられていることを特徴とする請求項１記載の燃料ポンプ。
【請求項３】
前記外周部は周方向の一箇所が不連続な環状に形成されており、前記外周部と前記複数のティースとは一部材で構成されていることを特徴とする請求項２記載の燃料ポンプ。
【請求項４】
前記外周部は、前記ティースの前記外周側端部と結合して前記外周側端部において内周側に曲げられている円弧部からなり、前記円弧部は周方向にほぼ等しい幅に形成されていることを特徴とする請求項２または３記載の燃料ポンプ。
【請求項５】
前記回転子は前記ステータコアの内周側に設置されており、
前記ステータコアは、外周コアと、前記外周コアから内周側の前記回転子に向けて突出し前記コイルが集中巻きされている複数のコイルコアとを有し、
前記複数のコイルコアは前記外周コアと別部材であることを特徴とする請求項１記載の燃料ポンプ。
【請求項６】
前記ステータコアを圧入するハウジングをさらに備えることを特徴とする請求項２から５のいずれか一項記載の燃料供給装置。
【請求項７】
前記ステータコアと前記コイルとの間に絶縁体を設けていることを特徴とする請求項１から６のいずれか一項記載の燃料ポンプ。
【請求項８】
前記絶縁体は前記ステータコアに嵌合していることを特徴とする請求項７記載の燃料供給装置。
【請求項９】
請求項２から４のいずれか一項記載の燃料ポンプの製造方法であって、
前記ティースの前記外周側端部において前記外周部を前記ティースに近づく方向に曲げる前の状態で、前記ティースに巻線を集中巻きして前記コイルを形成する巻回工程と、
前記巻回工程の後、前記ティースの前記外周側端部において前記外周部を前記ティースに近づく方向に曲げる曲げ工程と、
を含むことを特徴とする燃料ポンプの製造方法。
【請求項１０】
前記ティースに巻線を巻く前の状態において、前記外周部は、前記外周側端部において前記ティースと直交する仮想直線よりも前記ティースから離れていることを特徴とする請求項９記載の燃料ポンプの製造方法。
【発明の詳細な説明】
【技術分野】
【０００１】
本発明は、燃料ポンプおよびその製造方法に関する。
【背景技術】
【０００２】
従来、コイルを巻回した回転子に供給する電流を整流子で制御して回転子を回転させるブラシモータが知られている。そして、例えば燃料タンクの燃料を吸入して、燃料消費装置であるエンジンに燃料を供給する燃料ポンプの駆動源として、前述したようなブラシモータが用いられている（例えば、特許文献１参照）。
【０００３】
【特許文献１】特公平７−８５６４２号公報
【発明の開示】
【発明が解決しようとする課題】
【０００４】
しかし、ブラシモータでは、整流子とブラシとの摺動抵抗、ならびに整流子を各セグメントに分割するために設けた溝が受ける流体抵抗により、モータ効率が低下し、結果として燃料ポンプの効率が低下するという問題がある。ここで燃料ポンプの効率とは、（モータ効率）・（ポンプ効率）で表される。モータ効率およびポンプ効率は、燃料ポンプのモータ部に供給する駆動電流をＩ、印加する電圧をＶ、モータ部のトルクをＴ、モータ部の回転数をＮ、燃料ポンプが吐出する燃料圧力をＰ、燃料吐出量をＱとすると、（モータ効率）＝（Ｔ・Ｎ）／（Ｉ・Ｖ）、（ポンプ効率）＝（Ｐ・Ｑ）／（Ｔ・Ｎ）で表される。したがって、（燃料ポンプの効率）＝（モータ効率）・（ポンプ効率）＝（Ｐ・Ｑ）／（Ｉ・Ｖ）である。つまり、燃料ポンプの効率は、燃料ポンプに供給する電力に対して燃料ポンプが行う仕事の効率を表している。
【０００５】
ところで、モータ効率が低い燃料ポンプを用いて所望の燃料吐出量を得るためには、燃料ポンプに供給する電力を増加するとともに、燃料ポンプを大型化する必要がある。
また、ブラシモータには、整流子とブラシとの摺動箇所の摩耗によりモータ寿命が短くなるという問題がある。
また、燃料として、劣化燃料や低質燃料を使用する場合、燃料ポンプにブラシモータを用いると、整流子とブラシとの摺動箇所に電食や接触不良が発生し、電気的な導通不良を起こす恐れがある。
【０００６】
また、前述したようなブラシモータにおいて、回転子のコイルを複数のティースに跨って巻回する分布巻きにより形成すると、コイルエンドで巻線が交差し磁極毎の巻線の占積率を増加することが困難である。ここで巻線の占積率とは、巻回空間に占める巻線面積の割合である。したがって、占積率が低下すると、同一の巻回空間に巻回される巻線量が減少する。その結果、所望の巻線量でコイルを形成するためには大きな巻回空間が必要になり、モータ部が大型化する。
本発明は上記問題を解決するためになされたものであり、高効率かつ小型であり、耐食性に優れ長寿命の燃料ポンプを提供することを目的とする。
【課題を解決するための手段】
【０００７】
請求項１から１０記載の発明では、ステータコアに巻回されたコイルへの通電が制御されることによりステータコアの周方向に形成する磁極が切り換わり、この磁極の切り換わりによって回転子が回転し、ポンプ部を駆動する。つまり、整流子を用いないブラシレスモータがモータ部に採用されている。ブラシレスモータは、ブラシモータのような整流子とブラシとの摺動箇所、ならびに整流子を各セグメントに分割するために設けた溝がないので、ブラシモータに比べ、摺動抵抗および流体抵抗を低減できる。これにより、前述したモータ効率が向上し、その結果燃料ポンプの効率が向上するので、同出力の場合、ブラシモータよりもモータ部を小型化し低電流化できる。
【０００８】
また、ブラシレスモータは整流子を用いないので、劣化燃料や低質燃料を使用しても、ブラシモータのように整流子とブラシとの摺動箇所に電食や接触不良が発生しない。さらに、整流子とブラシとの摺動摩耗が発生しないので燃料ポンプの寿命が長くなる。
また、磁極の間で巻線が不連続であり各磁極毎に巻線の巻回が終結する集中巻きでコイルが形成されるので、コイルが形成するコイルエンドで巻線が交差せず、磁極毎の巻線の占積率を増加させることができる。その結果として、同一体格のモータ部であれば、分布巻きと比較して同一の巻回空間に巻回される巻線量が多くなり、モータ効率が向上する。また、同一出力のモータ部であれば、分布巻きと比較して巻回空間が減少しモータ部を小型化できる。
【０００９】
請求項２から４記載の発明では、コイルを巻回するティースの外周側端部において、外周部が内周側、つまりティースに近づく方向に曲げられている。したがって、外周部を曲げる前の状態では、曲げた後に比べ、各ティースと外周部とがコイルの巻回空間側で形成する角度は大きくなる。その結果、外周部との結合部であるティースの外周側端部まで巻線を巻きやすくなる。
【００１０】
請求項３記載の発明では、外周部と複数のティースとは一部材で構成されている。つまり、外周部を内周側に曲げる前のステータコアの母材は一部材である。したがって、ティースの外周側端部において外周部をティースに近づく方向に曲げることにより、一部材の母材からステータコアを容易に形成できる。ここで、焼結や、磁性鋼板を積層してコアを形成することが考えられるが、本発明では何れの場合も一部材であると定義する。
【００１１】
請求項４記載の発明では、ティースの外周側端部と結合し、外周側端部において内周側に曲げられている外周部の円弧部は周方向にほぼ等しい幅に形成されている。この構成では、各ティースに着目すると、円弧部を内周側に曲げた状態において、ティースの外周側端部から周方向に離れるにしたがい、外周部の円弧部は外周側端部と反対側のティースの内周側端部に向かう。したがって、円弧部を曲げた状態では、円弧部に妨げられてティースの外周側端部に巻線を巻きにくい。しかし、見方を変えると、ティースの外周側端部の奥までコイルを巻回する空間が形成され、コイルの巻回空間が広くなっていると言える。そこで、請求項４記載の発明において、外周部の円弧部を曲げる前の円弧部とティースとの角度が大きくなっている状態でティースに巻線を巻けば、ティースの外周側端部に巻線を巻きやすい。したがって、外周部の円弧部を曲げた後の状態において、円弧部とティースとにより形成された広い巻回空間に、ティースの外周側端部の奥まで巻線を巻回できる。その結果、巻回空間を有効活用できる。
【００１２】
請求項５記載の発明では、ステータコアを構成する複数のコイルコアと外周コアとは別部材であるから、コイルコアと外周コアとを組み付けてステータコアを構成する前の状態において、外周コアに妨げられることなくコイルコアに巻線を容易に巻回できる。
請求項６記載の発明では、ステータコアをハウジングに圧入するので、組み付け時にハウジングからステータコアが脱落することを防止できる。
【００１３】
また、ハウジングとステータコアとの間に隙間が形成される場合に比べ、ハウジングとステータコアとの軸ずれを抑制できるので、ステータコアの内周側に設置される回転子とステータコアとの隙間を回転方向に均一にすることができる。
また、請求項３記載の発明に請求項６記載の発明を適用すると、外周コアを内周側に曲げて形成したステータコアがハウジング内で外周側に広がることを防止し、その結果、コイルコアの位置および向きがずれることを防止できる。
【００１４】
請求項７記載の発明では、ステータコアとコイルとの間に絶縁体を設けることにより、例えばコイルを形成する巻線の絶縁皮膜が損傷しても、ステータコアとコイルとの短絡を防止できる。
請求項８記載の発明では、ステータコアに絶縁体が嵌合しているので、ステータコアに絶縁体を容易に設置できる。
【００１５】
請求項９記載の発明では、ティースの外周側端部において外周部をティースに近づく方向に曲げる前の状態でティースに巻線を集中巻きする。その結果、外周部を曲げた後に比べ、各ティースと外周部とがコイルの巻回空間側で形成する角度が大きくなっている状態で巻線を巻けるので、外周部との結合部であるティースの外周側端部に巻線を巻きやすくなる。
【００１６】
請求項１０記載の発明では、ティースの外周側端部において外周部をティースに近づく方向に曲げる前の状態で、外周部は、外周側端部においてティースと直交する仮想直線よりもティースから離れている。したがって、外周部に妨げられることなく、外周部との結合部であるティースの外周側端部に巻線を容易に巻くことができる。
【発明を実施するための最良の形態】
【００１７】
以下、本発明の複数の実施形態を図に基づいて説明する。
（第１実施形態）
本発明の第１実施形態による燃料ポンプを図１から図３に示す。燃料ポンプ１０は、例えば二輪自動車の燃料タンク内に設置されるインタンク式ポンプである。
図１に示すように、燃料ポンプ１０は、ポンプ部１２と、ポンプ部１２のインペラ２０を回転駆動するモータ部１３と、エンドサポートカバー２８とを備えている。ハウジング１４は、ポンプ部１２およびモータ部１３の外周を囲み、ポンプ部１２およびモータ部１３の共通のハウジングである。エンドサポートカバー２８は、モータ部１３のポンプ部１２と反対側を覆い、燃料の吐出口６０を形成している。
【００１８】
ポンプ部１２は、ポンプカバー１６、ポンプケーシング１８、およびインペラ２０を有しているウエスコポンプである。ポンプカバー１６およびポンプケーシング１８は、回転部材であるインペラ２０を回転自在に収容するケース部材である。
回転部材としてのインペラ２０は円板状に形成されており、インペラ２０の外周縁の回転軸方向両側に羽根溝が形成されている。インペラ２０の羽根溝とポンプカバー１６およびポンプケーシング１８とにより、インペラ２０の回転軸方向両側にポンプ通路２２が形成されている。
【００１９】
インペラ２０の回転によりポンプカバー１６の図示しない燃料入口から吸入された燃料は、インペラ２０の羽根溝からの流出、羽根溝への流入を次々と繰り返すことにより旋回流となる。この旋回流となった燃料のエネルギーにより、ポンプ通路２２の燃料は昇圧される。ポンプ通路２２で昇圧された燃料は、ポンプケーシング１８の図示しない燃料出口から流出し、ステータコア３０の内周面と回転子５０の外周面との間に形成された燃料通路６２を通り、エンドサポートカバー２８に形成された吐出口６０から吐出される。
【００２０】
モータ部１３は、ブラシレスモータであり、ステータコア３０、コイル４２および回転子５０等を有している。図２に示すように、ステータコア３０は、６個のコア３２を周方向に配置して構成されている。各コア３２は、コイル４２に通電することにより、回転子５０と向き合う対向面に磁極を発生する。各コア３２は、外周部３４およびティース３６を有し、絶縁皮膜を施した磁性鋼板を回転軸方向に積層して一部材で構成されている。外周部３４は周方向に幅の等しい円弧状に形成されており、６個の外周部３４により環状コアが形成されている。ティース３６は、外周部３４の中央部から内周側の回転子５０に向けて突出している。各コア３２には、巻回空間と隔てるように樹脂製の絶縁体４０が嵌合している。
【００２１】
コイル４２は、絶縁体４０の外周にコア３２毎に集中巻きされており、図１に示すエンドサポートカバー２８側でコイル端子４４と電気的に接続している。コイル端子４４は、リード線４６の先端と電気的に接続しているリード端子４５と嵌合して電気的に接続している。リード線４６は、エンドサポートカバー２８の外側に取り出されている。
【００２２】
コイル４２に供給される駆動電流が図示しない制御装置によってスイッチングされることにより、各コイル４２に発生する磁極が制御される。コイル４２に供給する駆動電流をスイッチングし、回転子５０を回転させるためには、回転子５０の回転位置を検出する必要がある。そこで、例えば、回転子５０の回転位置をホール素子等の検出素子で検出し、この検出信号に基づいて駆動電流をスイッチングしてもよい。また、６個のコイル４２のうち２／３のコイル４２を駆動し、回転子５０が回転することにより通電していない１／３のコイル４２に発生する誘導起電力を検出し、回転子５０の回転位置を判定してもよい。
【００２３】
絶縁樹脂４８は、ハウジング１４、ステータコア３０およびコイル４２を固定するとともに、シャフト２４のエンドサポートカバー２８側を支持する軸受２６を保持している。
回転子５０は、シャフト２４、ヨーク５２および永久磁石５４を有し、ステータコア３０の内周に回転自在に設置されている。シャフト２４は、軸受２６、２７により回転自在に支持されている。図２に示すように、永久磁石５４は、一部材で円筒状に形成され、ヨーク５２の外周側に設置されている。永久磁石５４は、回転方向に８極の磁極５５を形成している。８極の磁極５５は、ステータコア３０と向き合う外周面側に回転方向に交互に異なる磁極を形成するように着磁されている。
【００２４】
次に、ステータコア３０およびコイル４２の製造方法について説明する。
図３に示すように、絶縁体４０を嵌合した６個のコア３２を、外周部３４が内側に位置するように治具等に取り付ける。このとき、コイル４２はまだ形成されていない。次に、コア３２毎に絶縁体４０の外周に巻線を集中巻きし、図３に示すようにコイル４２を形成する。そして、コイル４２とコイル端子４４とを電気的に接続する。
【００２５】
このようにコイル４２を形成した６個のコア３２をハウジング１４内に挿入する。このとき、ハウジング１４の内壁に形成されている突起１５（図１参照）に絶縁体４０が係止され、コア３２の回転軸方向の位置決めがなされるとともに、コア３２がハウジング１４から脱落することを防止する。次に、絶縁樹脂４８をモールドし、ハウジング１４、軸受２６、コア３２、絶縁体４０、コイル４２、コイル端子４４を固定する。絶縁樹脂４８をモールドすることにより、各部材を固定するとともに、ステータコア３０のコア３２同士の隙間からハウジング１４側に燃料が漏れることを防止できる。
【００２６】
第１実施形態では、モータ部１３を整流子を用いないブラシレスモータにしたことにより、ブラシモータのような整流子とブラシとの摺動箇所、ならびに整流子を各セグメントに分割するために設けた溝がないので、ブラシモータに比べ、摺動抵抗および流体抵抗を低減できる。これにより、モータ部１３のモータ効率が向上し、その結果燃料ポンプ１０の効率が向上するので、同出力の場合、モータ部１３を小型化し低電流化できる。
【００２７】
また、ブラシレスモータであるモータ部１３は整流子を用いないので、劣化燃料や低質燃料を使用しても、ブラシモータのように整流子とブラシとの摺動箇所に電食や接触不良が発生しない。したがって、耐食性に優れている。さらに、整流子とブラシとの摺動摩耗が発生しないので燃料ポンプ１０の寿命が長くなる。
【００２８】
また、分布巻きに比べ、集中巻きにすることによりコイルエンドで巻線が交差せず、巻線の占積率を増加させることができる。その結果として、同一体格のモータ部であれば、分布巻きと比較して同一の巻回空間に巻回される巻線量が多くなり、モータ効率が向上する。また、同一出力のモータ部であれば、分布巻きと比較して巻回空間が減少しモータ部を小型化できる。
【００２９】
また、モータ部１３内のステータコア３０と回転子５０との間に形成された燃料通路６２を回転軸方向に燃料が流れるので、回転子５０と軸受２６、２７との摺動箇所を燃料が潤滑する。
以下に説明する各実施形態においても、第１実施形態と同様に、モータ部にブラシレスモータを用い、ステータコアに巻線を集中巻きしてコイルを形成しているので、第１実施形態と同様の効果が生じる。
【００３０】
（第２実施形態）
本発明の第２実施形態を図４および図５に示す。尚、第１実施形態と実質的に同一構成部分には同一符号を付す。
図４に示すステータコア７０は、環状の外周部７２と、外周部７２から回転子５０側に突出する６個のティース７６とからなり、絶縁皮膜を施した磁性鋼板を積層して一部材で構成されている。外周部７２は、隣接する２個のティース７６に結合している円弧部７３と、１個のティース７６に結合している円弧部７４とにより環状に形成されているが、隣接する円弧部７４の間で不連続である。そして、円弧部７４同士は不連続箇所で接触しているだけであり、溶接等により固定されているわけではない。外周部７２の円弧部７３、７４は、周方向に同じ幅で形成され、内周側に曲げられている。
【００３１】
次に、ステータコア７０およびコイル４２の製造方法を説明する。
円弧部７３、７４を曲げる前のステータコア７０の母材８０を図５の（Ａ）に示す。図５の（Ａ）では、ティース７６に絶縁体４０が嵌合し、絶縁体４０の外周に巻線を集中巻きしてコイル４２が形成されている。
ところで、コイル４２が形成される前の円弧部７３、７４を曲げる前の状態では、円弧部７３、７４を曲げた後に比べ、円弧部７３、７４とティース７６とがコイル４２の巻回空間側で形成する角度が大きくなっている。さらに、円弧部７３、７４は、ティース７６の外周側端部７７においてティース７６と直交する仮想直線２００よりもティース７６から離れている。したがって、円弧部７３、７４に妨げられることなく、ティース７６の外周側端部７７まで巻線を容易に巻くことができる。
【００３２】
巻線を巻いてコイル４２を形成すると、ティース７６の外周側端部７７で円弧部７３、７４をティース７６に近づく方向、図４における内周側に曲げ、図５の（Ｂ）に示す状態にする。このとき、環状の外周部７２の不連続箇所である円弧部７４同士の接触箇所は固定されない。したがって、図５の（Ｂ）に示す状態では、ステータコア７０に外周側に広がる力が働く。
【００３３】
そこで、図５の（Ｂ）に示す構造体をハウジング１４内に圧入し、絶縁樹脂４８をモールドすることにより、ハウジング１４、絶縁体４０、コイル４２およびステータコア７０を固定する。絶縁樹脂４８をモールドすることにより、各部材を固定するとともに、ステータコア７０の円弧部７４同士の隙間からハウジング１４側に燃料が漏れることを防止できる。
【００３４】
第２実施形態では、円弧部７３、７４を曲げて形成したステータコア７０をハウジング１４内に圧入することにより、ハウジング１４内でステータコア７０が外周側に広がることを防止し、ティース７６の位置および向きがずれることを防止できる。ハウジング１４内にステータコア７０を圧入するときには、圧入力でハウジング１４が変形しないように、ハウジング１４の外周面を治具等で押さえればよい。
【００３５】
また、ハウジング１４内にステータコア７０を圧入するので、ハウジング１４とステータコア７０との軸ずれを抑制できる。その結果、ステータコア７０の内周側に設置される回転子５０とステータコア７０との隙間を回転方向に均一にすることができる。
また、ハウジング１４内にステータコア７０を圧入するので、組み付け時にハウジング１４からステータコア７０が脱落することを防止できる。
【００３６】
第２実施形態では、円弧部７３、７４は周方向に等しい幅で円弧状に形成されているので、円弧部７３、７４を曲げた状態、つまり図５の（Ｂ）に示す状態では、ティース７６の外周側端部７７の奥まで巻回空間が広がっている。その反面、円弧部７３、７４を曲げた状態では、円弧部７３、７４に妨げられ、ティース７６の外周側端部７７の奥まで巻線を巻くことが困難である。そこで、第２実施形態では、円弧部７３、７４を曲げた後に比べ、円弧部７３、７４を曲げる前の円弧部７３、７４とティース７６とが巻回空間側で形成する角度が大きい状態で巻線を巻回するので、円弧部７３、７４に妨げられることなくティース７６の外周側端部７７まで巻線を容易に巻回できる。
また、母材８０が一部材で形成されているので、コイル４２を巻回した後に、円弧部７３、７４を曲げるだけで、ステータコア７０を容易に形成できる。
【００３７】
（第３実施形態）
本発明の第３実施形態を図６および図７に示す。尚、第１実施形態と実質的に同一構成部分には同一符号を付す。
図６に示すステータコア９０は、外周コア９２と、外周コア９２から回転子５０側に向けて突出し、外周コア９２とは別部材の６個のコイルコア９４とから構成されている。外周コア９２およびコイルコア９４は、絶縁皮膜を施した磁性鋼板を積層して形成されている。コイル４２とコイルコア９４とは絶縁樹脂４８により絶縁されている。
【００３８】
次に、ステータコア９０およびコイル４２の製造方法を図７に示す。
６個のコイルコア９４を治具等に取り付け、図７の（Ａ）に示す位置に設置する。この状態では、コイル４２および絶縁樹脂４８は形成されていない。次に、６個のコイルコア９４を絶縁樹脂４８でモールドし固定する。この絶縁樹脂４８が、コイル４２とコイルコア９４との短絡を防止する。そして、樹脂モールドされたコイルコア９４に巻線を巻回してコイル４２を形成する。
【００３９】
このようにして形成された図７の（Ａ）に示す構造体を外周コア９２の内周に組み付けてステータコア９０を形成する。
第３実施形態では、外周コア９２とコイルコア９４とを別部材にしたことにより、図７の（Ｂ）に示すように、外周コア９２に組み付ける前の状態で各コイルコア９４に巻線を巻回できる。これにより、外周コア９２に妨げられることなく、コイルコア９４の外周コア側端部まで巻線を容易に巻回できる。
【００４０】
また、第３実施形態では、コイル４２を形成する前に絶縁樹脂４８をモールドしてコイルコア９４を固定し、この絶縁樹脂４８で燃料通路６２の外周が覆われる。さらに外周コア９２が連続した円筒状に形成されているので、ハウジング１４内にステータコア９０を組み付けた状態でさらに樹脂モールドすることなく、ステータコア９０からハウジング１４側に燃料が漏れることを防止できる。
【００４１】
（第４実施形態）
本発明の第４実施形態を図８および図９に示す。尚、第１実施形態と実質的に同一構成部分には同一符号を付す。
図８に示すステータコア１００は、外周コア１０２と、外周コア１０２から回転子５０側に向けて突出し、外周コア１０２とは別部材の６個のコイルコア１０６とから構成されている。外周コア１０２およびコイルコア１０６は、絶縁皮膜を施した磁性鋼板を積層して形成されている。
【００４２】
凹部１０４は、外周コア１０２の内周壁に、周方向に等角度間隔で回転軸方向の全長にわたって形成されている。回転軸と直交する凹部１０４の断面は、底側に広がる形状である。コイルコア１０６の外周コア１０２側端部に回転軸方向の全長にわたって凸部１０８が形成されている。回転軸と直交する凸部１０８の断面は、先端に向けて広がる形状である。外周コア１０２の凹部１０４と各コイルコア１０６の凸部１０８とが嵌合することにより、外周コア１０２とコイルコア１０６とは結合している。
【００４３】
次に、ステータコア１００およびコイル４２の製造方法を図９に示す。
図９の（Ｂ）に示すように、コイルコア１０６に絶縁体１１０を嵌合し、絶縁体１１０の外周に巻線を集中巻きしてコイル４２を形成する。ただし、図９の（Ｂ）は、コイル４２が集中巻きされたコイルコア１０６を外周コア１０２に組み付ける配置を示しているのであり、このようにコイルコア１０６を配置した状態で巻線を巻回する必要はなく、コイルコア１０６を１個づつ治具に取り付けて巻線を巻回してもよい。
【００４４】
次に、コイル４２の巻回されたコイルコア１０６の凸部１０８を回転軸方向の一方から、図９の（Ａ）に示す外周コア１０２の凹部１０４に挿入しながら嵌合し、ステータコア１００を形成する。
第４実施形態では、外周コア１０２とコイルコア１０６とを別部材にしたことにより、外周コア１０２に妨げられることなく、コイルコア１０６の外周コア側端部の凸部１０８付近まで巻線を容易に巻回できる。
【００４５】
（他の実施形態）
上記第２実施形態では、外周部７２および円弧部７３、７４からなるステータコア７０を一部材で構成したが、外周部７２を周方向で複数に分割し、少なくとも１個のティースの外周側端部と結合する円弧部を外周側端部においてティースに近づく方向に曲げた複数の構造体を組み付けてステータコアを形成してもよい。
【００４６】
また、第１、２実施形態では、ハウジング１４内にステータコアを組み付けてから絶縁樹脂４８をモールドしたが、ハウジング１４内にステータコアを組み付ける前に絶縁樹脂４８をモールドし、コイル４２およびステータコアを固定してもよい。
第３実施形態を除く上記複数の実施形態では、コイルコアに樹脂性の絶縁体を嵌合してコイル４２とステータコアとの電気的短絡を防止したが、絶縁体を嵌合する代わりに、コイルコアに絶縁性を有する粉体を塗装してもよい。
【００４７】
上記複数の実施形態では、ステータコアに巻線を集中巻きしてコイルを形成し、ステータコアの内周側に永久磁石を有する回転子を設置してブラシレスモータを構成した。これに対し、永久磁石を有する回転子の内周側に、巻線を集中巻きしてコイルを形成したステータコアを設置してブラシレスモータを構成してもよい。
また上記複数の実施形態では、ハウジング１４内にステータコアを圧入または挿入のどちらで組み付けてもよい。
【図面の簡単な説明】
【００４８】
【図１】本発明の第１実施形態による燃料ポンプを示す断面図である。
【図２】図１のII−II線断面図である。
【図３】第１実施形態においてコイルを形成した状態を示す断面図である。
【図４】図２と同じ位置における第２実施形態の燃料ポンプを示す断面図である。
【図５】（Ａ）はステータコアの母材を曲げる前の状態を示す断面図であり、（Ｂ）はステータコアの母材を曲げた後の状態を示す断面図である。
【図６】図２と同じ位置における第３実施形態の燃料ポンプを示す断面図である。
【図７】（Ａ）はステータコアの外周コアを示す断面図であり、（Ｂ）は外周コアに組み付ける前のコイルを形成したステータコアを示す断面図である。
【図８】図２と同じ位置における第４実施形態の燃料ポンプを示す断面図である。
【図９】（Ａ）はステータコアの外周コアを示す断面図であり、（Ｂ）は外周コアに組み付ける前のコイルを形成したステータコアを示す断面図である。
【符号の説明】
【００４９】
１０  燃料ポンプ、１２  ポンプ部、１３  モータ部（ブラシレスモータ）、１４  ハウジング、３０、７０、９０、１００  ステータコア、３４、７２  外周部、３６、７６  ティース、４０、１１０  絶縁体、４２  コイル、５０  回転子、５４  永久磁石、５５  磁極、６２  燃料通路、７３、７４  円弧部、７７  外周側端部、９２、１０２  外周コア、９４、１０６  コイルコア、２００  仮想直線
【図１】
2006141113.tif 000003
【図２】
2006141113.tif 000004
【図３】
2006141113.tif 000005
【図４】
2006141113.tif 000006
【図５】
2006141113.tif 000007
【図６】
2006141113.tif 000008
【図７】
2006141113.tif 000009
【図８】
2006141113.tif 000010
【図９】
2006141113.tif 000011